(57)【要約】【課題】光学系等を移動させることなくピントを合わせる画像読取装置を提供する。【解決手段】光学変換素子２０７は、光軸方向のＡ〜Ｃの３つの位置に配置された３本のラインセンサを備えている。また、ラインセンサは副走査方向に１画素分ずれて配置されている。位置Ａに配置されたラインセンサは原稿台ガラス２０１に接する原稿面にピントが合う。原稿面が位置ｂにある場合には位置Ｂにあるラインセンサにて、また、原稿面が位置ｃにある場合には位置Ｃにあるラインセンサにて読み取れば、ピントを合わせることができる。【選択図】図３
2007336194.tif 000002
【特許請求の範囲】
【請求項１】
原稿台ガラス上に載置された原稿を露光し、その反射光によって画像データを読み取る画像読取装置であって、
複数のラインセンサと、
複数のラインセンサの出力から画像データを生成する生成手段と、を備え、
複数のラインセンサは原稿台ガラスからラインセンサに至る反射光の光路長が相異なる位置に配置されており、
生成手段は画素毎に最もピントが合っているラインセンサの出力を選択して画像データを生成する
ことを特徴とする画像読取装置。
【請求項２】
原稿台ガラス上に載置された原稿を露光し、その反射光によってカラー画像データを読み取る画像読取装置であって、
原色毎の複数のラインセンサと、
原色毎に複数のラインセンサの出力から画像データを生成する生成手段と、を備え、
原色毎の複数のラインセンサは原稿台ガラスからラインセンサに至る反射光の光路長が相異なる位置に配置されており、
生成手段は画素毎に最もピントが合っているラインセンサの出力を選択して画像データを生成する
ことを特徴とする画像読取装置。
【請求項３】
複数のラインセンサは原稿からの反射光の入射方向について相異なる位置に配置されている
ことを特徴とする請求項１に記載の画像読取装置。
【請求項４】
原稿からの反射光の入射方向について相異なる位置に配置されている複数のラインセンサは１つの集積回路パッケージ内に封入されており、
当該集積回路パッケージは前記入射方向に斜交するように配置されている
ことを特徴とする請求項３に記載の画像読取装置。
【請求項５】
生成手段は、画素毎に最も多くの光量を検出したラインセンサの出力を選択する
ことを特徴とする請求項１に記載の画像読取装置。
【請求項６】
原稿位置を計測する計測手段を備え、
生成手段は、計測された原稿位置に応じてラインセンサの出力を選択する
ことを特徴とする請求項１に記載の画像読取装置。
【発明の詳細な説明】
【技術分野】
【０００１】
本発明は、画像読取装置に関し、特に、原稿台ガラスから離れた原稿を読み取る際に焦点を合わせる技術に関する。
【背景技術】
【０００２】
複写機やファクシミリ等に搭載されるスキャナーは、原稿台ガラス上に載置された原稿に照明光を照射し、その反射光を縮小光学系にて光電変換素子上に投影して、画像データを生成する。この場合において、光電変換素子上に投影される原稿像のピントを合わせるために原稿、縮小光学系及び光電変換素子は正しい位置関係になければならない。
しかしながら、原稿の種類やスキャナーの使用状況によっては、原稿を適正な位置に置くことができず、ピントがずれてしまうことがある。例えば、書籍を読み取る場合にはどうしてものどの部分が原稿台ガラスから離れてしまうため、縮小光学系や光電変換素子との位置関係が適切でなくなってしまう。
【０００３】
図１１は、従来技術に係る画像読取装置の構成を例示する図である。図１１に示されるように、従来技術に係る画像読取装置１１においては、原稿台ガラス面１１０１に原稿１１１１が接する状態でピントが合うように、ミラー１１０２〜１１０４や結像レンズ１１０５、光電変換素子１１０６が配置される。このような構成においてピントが合うためには、結像レンズの被写界深度によるが、原稿台ガラス面から高さ方向（光軸方向）に数ｍｍ以内に原稿面がなければならない。
【０００４】
したがって、原稿面１１１１がこの数ｍｍの範囲外に出るとピントが合わなくなる。また、図１２に示されるように原稿面１２１１に凹凸があり、原稿台ガラス面１１０１からの距離が一定しない場合には、１枚の原稿中でピントが合う箇所があったり、会わない箇所があったりして、やはり画質が劣化する。
このような問題に対して、例えば、原稿台に載置された原稿を上面から光学的に走査する装置において、ＣＣＤラインセンサと原稿面との距離に応じて対物レンズをその光軸方向に移動させる技術が開示されている（特許文献１）。
【０００５】
また、目的は異なるものの、ＣＣＤラインセンサを原稿による反射光の入射方向と直交する方向に摺動させる技術（特許文献２）や、傾斜させる技術（特許文献３）も開示されている。
このようにすれば、原稿の変移に合わせて光学系の位置を調整するので、ピントを合わせることができる。
【特許文献１】特開平１０−１３６１７０号公報
【特許文献２】特開平９−１１６７９５号公報
【特許文献３】特開２００５−３９３７２号公報
【発明の開示】
【発明が解決しようとする課題】
【０００６】
しかしながら、光学系等を移動させてピントを合わせるには、原稿を測位する計測装置や、光学系を移動させる駆動装置が必要となって、スキャナーが複雑になり、大型化する。その結果、コストが上昇したり、故障率し易くなったりするという問題も生じる。
本発明は、上述のような問題に鑑みて為されたものであって、光学系等を移動させることなくピントを合わせることができる画像読取装置を提供することを目的とする。
【課題を解決するための手段】
【０００７】
上記目的を達成するため、本発明に係る画像読取装置は、原稿台ガラス上に載置された原稿を露光し、その反射光によって画像データを読み取る画像読取装置であって、複数のラインセンサと、複数のラインセンサの出力から画像データを生成する生成手段と、を備え、複数のラインセンサは原稿台ガラスからラインセンサに至る反射光の光路長が相異なる位置に配置されており、生成手段は画素毎に最もピントが合っているラインセンサの出力を選択して画像データを生成することを特徴とする。
【発明の効果】
【０００８】
このようにすれば、複数のラインセンサが原稿についてピントが相異なる位置に配置されているので、原稿が原稿台ガラスから離間しても、その離間距離に応じて何れかのラインセンサでピントを合わせることができる。したがって、装置の大型化や故障率の上昇を招くことなく、優れた画質を実現することができる。
また、原稿台ガラス上に載置された原稿を露光し、その反射光によってカラー画像データを読み取る画像読取装置であって、原色毎の複数のラインセンサと、原色毎に複数のラインセンサの出力から画像データを生成する生成手段と、を備え、原色毎の複数のラインセンサは原稿台ガラスからラインセンサに至る反射光の光路長が相異なる位置に配置されており、生成手段は画素毎に最もピントが合っているラインセンサの出力を選択して画像データを生成しても良い。このようにすれば、カラー原稿を読み取る際にも同様の効果を得ることができる。
【０００９】
この場合において、複数のラインセンサを原稿からの反射光の入射方向について相異なる位置に配置すれば、複数のラインセンサを相異なるピント位置に配置することができる。
本発明に係る画像読取装置は、原稿からの反射光の入射方向について相異なる位置に配置されている複数のラインセンサは１つの集積回路パッケージ内に封入されており、当該集積回路パッケージは前記入射方向に斜交するように配置されていることを特徴とする。このようにすれば、画像読取装置を小型化することができると共に色ずれ等を精度良く解消することができる。
【００１０】
本発明に係る画像読取装置は、生成手段は、画素毎に最も多くの光量を検出したラインセンサの出力を選択することを特徴とする。このようにすれば、ピントが合っているラインセンサほど受光量が多くなり、ピントが合っていないラインセンサは受光漏れが生じるので、ピントが合っているラインセンサを選択することができる。
本発明に係る画像読取装置は、原稿位置を計測する計測手段を備え、生成手段は、計測された原稿位置に応じてラインセンサの出力を選択することを特徴とする。このようにすれば、原稿位置に応じてより適切なラインセンサの出力を選択することができる。従って、より精度良くピントを合わせることができる。
【００１１】
以上説明したように、本発明によれば、複数のラインセンサを相異なるピント位置に配置して、最もピントが合ったラインセンサの出力を選択して画像データを生成する。従って、原稿面と原稿台ガラスと距離が変動しても全体としてピントの合った画像データを生成することができる。よって、書籍ののどの部分や立体物であっても、ピントの合った画像データを生成することができる。
【００１２】
また、ピントを合わせるに当たって機械的な駆動を要しないので、画像読取装置の損耗が小さく長寿命化を図ることができる。
【発明を実施するための最良の形態】
【００１３】
以下、本発明に係る画像読取装置の実施の形態について、デジタル複写機を例にとり、図面を参照しながら説明する。
［１］  第１の実施の形態
本発明の第１の実施の形態に係るデジタル複写機について説明する。
（１）  デジタル複写機の構成
先ず、本実施の形態に係るデジタル複写機の構成について説明する。図１は、本実施の形態に係るデジタル複写機の主要な構成を示す図である。
【００１４】
図１に示されるように、デジタル複写機１は、画像読取部１０１、画像処理部１０２、画像形成部１０３および操作部（図示省略）を備えている。画像読取部１０１は第１スライダー部１０１ａ、第２スライダー部１０１ｂおよび光電変換部１０１ｃを備え、原稿画像を読み取って画像データを生成する。
第１スライダー部１０１ａは露光ランプにて原稿を照明する。第２スライダー部１０１ｂは、原稿からの反射光を光電変換部１０１ｃに導く。光電変換部１０１ｃは当該反射光を結像し、光電変換することによって画像データを生成する。
【００１５】
画像処理部１０２は、画像読取部１０１にて生成された画像処理を施す。画像形成部１０３は、画像処理部１０２にて処理された画像データに基づいて記録紙に画像を印刷する。操作部はユーザへの情報の表示やユーザからの入力の受け付けを行なう。
（２）  画像読取部１０１の構成
次に、画像読取部１０１の構成について更に詳しく説明する。図２は、画像読取部１０１の主要な構成を示す図である。
【００１６】
図２に示されるように、画像読取部１０１は原稿台ガラス２０１、露光ランプ２０２、ミラー２０２〜２０５、結像レンズ２０６及び光電変換素子２０７を備えている。原稿２１０は原稿台ガラス２０１上に載置される。露光ランプ２０２とミラー２０３とは第１スライダー部１０１ａを構成する。
ミラー２０４、２０５は第２スライダー部１０１ｂを構成する。また、結像レンズ２０６と光電変換素子２０７とは光電変換部１０１ｃを構成する。光電変換素子２０７にはＣＣＤラインセンサやＣＭＯＳラインセンサを用いれば良い。
【００１７】
露光ランプ２０２が放射した光の原稿２１０による反射光は、ミラー２０２〜２０５にて順次反射され、光電変換部１０１ｃに導かれる。そして、結像レンズ２０６にて光電変換素子２０７上に結像される。光電変換素子２０７は入射光を電気信号に光電変換して画像データを生成する。
なお、原稿を読み取り走査するに際しては、第１スライダー部１０１ａを副走査方向に速度Ｖで原稿台ガラス２０１に沿って移動する一方、第２スライダー部１０１ｂは第１スライダー部１０１ａとは反対方向に速度Ｖ／２にて移動する。このようにすれば、読み取り走査中、常に原稿２１０から結像レンズ２０６までの距離を一定に保つことができる。
【００１８】
（３）  光電変換素子２０７の構成
次に、光電変換素子２０７の構成について説明する。図３は、光電変換素子２０７の主要な構成を示す図である。図３に示されるように、光学変換素子２０７は、３つの原色（Ｒ、Ｇ及びＢ）のそれぞれについて３本ずつラインセンサを備えている。そして、原色毎の３本のラインセンサは互いに副走査方向に１画素分ずれて配置されている。また、光軸方向にも互いにずれて配置されている。
【００１９】
すなわち、光軸方向のＡ〜Ｃの３つの位置に各原色のラインセンサが配置されている。このため、原稿台ガラス２０１の上面からラインセンサまでの距離がラインセンサの位置に応じて３通りとなっている。この場合において位置Ａに配置されたラインセンサ（以下、「ラインセンサＡ」という。）が原稿台ガラス２０１に接する原稿面にピントが合うように光学系が構成されている。
【００２０】
このようにすれば、原稿３１０の原稿面に凹凸があっても、例えば、位置ａについては原稿台ガラス２０１に接するので、ラインセンサＡにて読み取ればピントを合わせることができる。
また、位置ｂについては光軸方向の位置Ｂにあるラインセンサ（以下、「ラインセンサＢ」という）にて読み取り、位置ｃについては光軸方向の位置Ｃにあるラインセンサ（以下、「ラインセンサＣ」という）にて読み取れば、それぞれピントを合わせることができる。
【００２１】
例えば、ＣＣＤラインセンサを用いてＡ３サイズの原稿をカラーで読み取る場合には、解像度６００ｄｐｉ、主走査方向７５００画素、画素サイズ９．２５μｍ、結像レンズ２０６の倍率を１／４．５４倍とすれば、ピントが合う範囲は原稿台ガラス２０１からの距離が５ｍｍ以下の範囲内となる。この範囲をＣＣＤ面上の光軸方向に換算すると１．１０（＝５／４．５４）ｍｍとなる。
【００２２】
したがって、この場合には原色毎の３本のＣＣＤラインセンサを互いに光軸方向に１．１０ｍｍずらして配置すれば、より広い範囲でピントを合わせることができる。すなわち、原稿台ガラス２０１からの距離が１５ｍｍ以下ならばピントを合わせることができる。
（４）  画像処理部１０２の処理
次に、画像処理部１０２の処理について説明する。
【００２３】
上述のように、画像読取部１０１は互いに光軸方向に異なる位置に配置された３組のラインセンサによって３組の画像データを出力する。画像処理部１０２は３組の画像データからピントの合った画像データを選択して、１組の画像データを生成する。このため、画像処理部１０２は画像データの選択は画像の明るさを参照し、最も明るい画像データをピントの合った画像データと判定する。
【００２４】
図４は、原稿台ガラスから原稿までの距離と、３組のラインセンサの出力電圧との関係を示すグラフである。図４において、横軸は副走査方向における位置を表わし、縦軸は（１）が原稿台ガラスから原稿までの距離を、（２）はラインセンサの出力を表わす。
図４に示されるように、原稿４０１から原稿台ガラスまでの距離がＲ1の範囲内にあるときは、ラインセンサＡの出力がラインセンサＢ、Ｃの出力よりも大きくなる。また、原稿４０１から原稿台ガラスまでの距離が、Ｒ2の範囲内ならばラインセンサＢの出力が大きくなり、Ｒ3の範囲内ならばラインセンサＣの出力が大きくなる。
【００２５】
ピントが合うラインセンサの受光量がもっとも大きくなるからである。図５は、原稿面の位置と焦点位置との関係を示す図である。図５に示されるように、原稿面が原稿台ガラス２０１に近い位置ａにある場合、原稿面による反射光はレンズ５０１によってラインセンサＡ上に焦点を結ぶ。このため、ラインセンサＡにおいて最も受光量が多くなり、ラインセンサＢ、ラインセンサＣの順に受光量が少なくなる。
【００２６】
また、原稿面が位置ｂにある場合にはラインセンサＢ上に焦点を結ぶため、ラインセンサＡ、ＣよりもラインセンサＢの方において受光量が多くなる。同様に、原稿面が位置ｃにある場合には、ラインセンサＡ、Ｂ、Ｃの順に受光量が多くなる。
したがって、最も受光量の大小、すなわち、ラインセンサの出力値の大小を参照することによって、もっともピントが合ったラインセンサを選択することができる。画像処理部１０２はすべての画素について何れかのラインセンサの出力を選択して、もっともピントが合った画像データを生成する。
【００２７】
図６は、ラインセンサＡ、Ｂ、Ｃの出力を選択する選択回路の構成を示す回路図である。図６に示されるように、選択回路６は、入力端子Ａ、Ｂ、Ｃと出力端子とを備える３入力１出力の回路であって、コンパレータ６０１、６０４及び２入力１出力のスイッチ６０２、６０４を備えている。
選択回路６の入力端子ＡにラインセンサＡの出力が入力され、入力端子ＢにラインセンサＢの出力が入力される。また、入力端子ＣにラインセンサＣの出力が入力される。
【００２８】
さて、ラインセンサＡ、Ｂの出力はそれぞれ入力端子Ａ、Ｂを経由して、コンパレータ６０１とスイッチ６０２とに入力される。コンパレータ６０１はラインセンサＡ、Ｂの出力のうち値が大きい方がスイッチ６０２から出力されるように、スイッチ６０２に接続されている。
コンパレータ６０３とスイッチ６０４とには、ラインセンサＡ、Ｂの値が大きい方の出力とラインセンサＣの出力とが入力される。コンパレータ６０３はラインセンサＡ、Ｂ、Ｃの出力のうち値が大きい方がスイッチ６０２から出力されるように、スイッチ６０４に接続されている。
【００２９】
このようにすれば、ラインセンサＡ、Ｂ、Ｃの出力のうち最も値が大きい出力が選択され、出力端子から出力される。従って、上述のように、最もピントが合ったラインセンサの出力が選択されるので、優れた画質の画像データを得ることができる。
（５）  まとめ
以上説明したように、本実施の形態においては、光学系等を移動させることによってピントを合わせる代わりに、ピントが相異なる複数の位置にそれぞれラインセンサを配置するので、原稿面が原稿台ガラスから離間してもピントを合わせることができる。また、原稿面の位置を計測する測定装置や光学系等を移動させる駆動装置が不要となるので、小型かつ低コストでピントを合わせることができる。
【００３０】
［２］  第２の実施の形態
次に、本発明の第２の実施の形態について説明する。本実施の形態に係るデジタル複写機は上記第１の実施の形態に係るデジタル複写機と概ね同様の構成を備える一方、光電変換部の構成において相違している。以下、専ら相違点に着目して説明する。
図７は、本実施の形態に係るデジタル複写機の特徴的な構成を示す図である。図７に示されるように、本実施の形態に係るデジタル複写機７は、光軸７０１に直交する方向に３原色のそれぞれに対応する３つのラインセンサを隣り合わせて配置したカラーラインセンサを３組備えている。そして、３組のラインセンサは光軸方向に相異なる位置に配置されている。
【００３１】
このようにすれば、上記第１の実施の形態による効果に加えて、光電変換部の構造をより単純にして、コストと故障率とを共に低減することができる。
［３］  第３の実施の形態  
次に、本発明の第３の実施の形態について説明する。本実施の形態に係るデジタル複写機は上記第１の実施の形態に係るデジタル複写機と概ね同様の構成を備える一方、光電変換部の構成において相違している。以下、専ら相違点に着目して説明する。
【００３２】
図８は、本実施の形態に係るデジタル複写機の特徴的な構成を示す図である。図８に示されるように、本実施の形態に係るデジタル複写機８は、３原色のそれぞれに対応する３つのラインセンサを隣り合わせて配置したカラーラインセンサを３組備えている。３組のカラーラインセンサは互いに各原色に対応するラインセンサの配置を異にしている。
また、各カラーラインセンサは光軸８０１に斜交するように配置されており、ひとつのカラーラインセンサにおけるラインセンサどうしは光軸８０１方向に所定距離だけずらされている。
【００３３】
このようにすれば、同色のラインセンサどうしが光軸８０１方向に相異なる位置に配置されているので、上記第１の実施の形態と同様の効果を奏する。
［４］  第４の実施の形態
次に本発明の第４の実施の形態について説明する。本実施の形態に係るデジタル複写機は上記第１の実施の形態に係るデジタル複写機と概ね同様の構成を備える一方、光電変換部の構成において相違している。以下、専ら相違点に着目して説明する。
【００３４】
図９は、本実施の形態に係るデジタル複写機の特徴的な構成を示す図である。図９に示されるように、本実施の形態に係るデジタル複写機９は、３原色のそれぞれに対応する３つのラインセンサを隣り合わせて配置したカラーラインセンサ３組を１枚の基板上に実装した構成を備えている。カラーラインセンサを実装した基板は光軸９０１に斜交するように配置されている。
【００３５】
これによって、カラーラインセンサ間で同色のラインセンサどうしが光軸９０１方向に所定距離だけずらされている。このようにしても、上記第１の実施の形態と同様の効果を奏する。また、より単純な構造を備えているので、コストと故障率の点においても優れている。
［５］  変形例
以上、本発明を実施の形態に基づいて説明してきたが、本発明が上述の実施の形態に限定されないのは勿論であり、以下のような変形例を実施することができる。
【００３６】
（１）  上記第４の実施の形態においては、専ら３組のカラーラインセンサを実装した基板を光軸に斜交するように配置する場合について説明したが、本発明がこれに限定されないのは言うまでもなく、これに代えて次のようにしても良い。図１０は、本変形例に係るデジタル複写機の特徴的な構成を示す図である。
図１０に示されるように、本変形例に係るデジタル複写機１０においては、３組のカラーラインセンサを格納するパッケージ自体が光軸１００１に斜交する。このようにすれば、上記第４の実施の形態と同様に３組のカラーラインセンサを光軸１００１に斜交させることができるので、同様の効果を得ることができる。
【００３７】
３組のカラーラインセンサをそれぞれ別個のパッケージに格納すると、通常、パッケージ自体の幅が１０ｍｍ程度あるので、全体として３０ｍｍ以上もの幅となる。このため、画像読取部が大きくなってしまい、装置の小型化の要請に反する。
また、各ラインセンサの出力データは読取位置が厳密に一致し続ける訳ではないので、画像処理によってライン間補正される。このため、カラーラインセンサ間の距離が大きくなると、ライン間補正のための補正量を正確に決定することが困難になる。したがって、ライン間補正の不良に起因する色ずれが発生し易くなる。
【００３８】
一方、本発明のように、すべてのラインセンサをひとつのパッケージに格納すれば、前述のように、１つのパッケージの幅は１０ｍｍ程度であるので、装置の小型化を図ることができる。また、ラインセンサ間の距離を半導体プロセスにて精度良く位置決めすることができるので色ずれを抑えることができる。
（２）  上記実施の形態においては特に言及しなかったが、ラインセンサを光軸方向にずらして配置する場合、光軸方向に位置が異なるラインセンサ間で色ずれや倍率差等が発生し得る。このような問題も、ラインセンサ間の位置の違いに応じた補正量を予め定めておけば、画像処理によって解消することができる。
【００３９】
（３）  上記実施の形態においては、専ら３組のカラーラインセンサを用いる場合について説明したが、本発明がこれに限定されないのは言うまでもなく、これに代えて次のようにしても良い。
すなわち、カラーラインセンサの数は２組以上であれば良く、３組には限定されない。また、カラーラインセンサに代えてモノクロラインセンサを用いても良く、この場合においても２つ以上のモノクロラインセンサを光軸方向にずらして配置すれば、本発明の効果を得ることができる。
【００４０】
（４）  上記実施の形態においては、専らデジタル複写機を例にとって説明したが、本発明がこれに限定されないのは言うまでもなく、デジタル複写機に代えてファクシミリ送信機、スキャナー、ネットワークスキャナー等に本発明を適用しても良い。
（５）  上記実施の形態においては、３つのラインセンサの出力値を比較して、何れかのラインセンサの出力を選択したが、本発明がこれに限定されないのは言うまでもなく、これに代えて次のようにしても良い。
【００４１】
すなわち、原稿と原稿台ガラスとの間の距離を計測する測定手段を備え、その計測結果に応じて何れかのラインセンサの出力を選択するとしても良い。このようにしても、ピントを合わせることができる。
また、測定手段は機械的に駆動させる部品を要しないので、光学系等を移動させてピントを合わせる場合と比較して故障率を下げることができ、画像読取装置の寿命を長くすることができる。
【産業上の利用可能性】
【００４２】
本発明に係る画像読取装置は、原稿台ガラスに載置された原稿に精度良くピントを合わせて優れた画質の画像データを読み取る技術として有用である。
【図面の簡単な説明】
【００４３】
【図１】本発明の第１の実施の形態に係るデジタル複写機の構成を示す図である。
【図２】本発明の第１の実施の形態に係るデジタル複写機が備える画像読取部の主要な構成を示す図である。
【図３】本発明の第１の実施の形態に係るデジタル複写機が備える光電変換素子の主要な構成を示す図である。
【図４】原稿台ガラスから原稿までの距離と、３組のラインセンサの出力電圧との関係を示すグラフであって、（１）は、原稿台ガラス上の位置毎に原稿までの距離を示し、（２）は、原稿台ガラス上の位置毎に３組のラインセンサそれぞれの出力電圧を示す。
【図５】原稿台ガラスから原稿までの距離と、ピント位置との関係を示す図である。
【図６】図６は、本発明の第１の実施の形態に係るラインセンサＡ、Ｂ、Ｃの出力を選択する選択回路の構成を示す回路図である。
【図７】本発明の第２の実施の形態に係るデジタル複写機の特徴的な構成を示す図である。
【図８】本発明の第３の実施の形態に係るデジタル複写機の特徴的な構成を示す図である。
【図９】本発明の第４の実施の形態に係るデジタル複写機の特徴的な構成を示す図である。
【図１０】本発明の変形例（１）に係るデジタル複写機の特徴的な構成を示す図である。
【図１１】従来技術に係る画像読取装置の構成を例示する図である。
【図１２】従来技術に係る画像読取装置に、原稿面に凹凸がある原稿が載置された状態を示す図である。
【符号の説明】
【００４４】
１、７、８、９、１０……………………デジタル複写機
１０…………………………………………画像読取装置
１０１………………………………………画像読取部
１０２………………………………………画像処理部
１０３………………………………………画像形成部
１０１ａ……………………………………第１スライダー部
１０１ｂ……………………………………第２スライダー部
１０１ｃ……………………………………光電変換部
２０１………………………………………原稿台ガラス
２０２………………………………………露光ランプ
２０２〜２０５、１１０２〜１１０４…ミラー
２０６、１１０５…………………………結像レンズ
２０７、１１０６…………………………光電変換素子
２１０、３１０、４０１、１１１１……原稿
５０１………………………………………レンズ
７０１、８０１、９０１、１００１………光軸
１１０１……………………………………原稿台ガラス面
１２１１……………………………………原稿面
【図１】
2007336194.tif 000003
【図２】
2007336194.tif 000004
【図３】
2007336194.tif 000005
【図４】
2007336194.tif 000006
【図５】
2007336194.tif 000007
【図６】
2007336194.tif 000008
【図７】
2007336194.tif 000009
【図８】
2007336194.tif 000010
【図９】
2007336194.tif 000011
【図１０】
2007336194.tif 000012
【図１１】
2007336194.tif 000013
【図１２】
2007336194.tif 000014